(57)【特許請求の範囲】
【請求項１】
ホイールを支持する回転プラットホームと、タイヤビードに作用する手段と、プラットホーム作動手段とを有するタイヤ取外し機において、
プラットホーム作動手段が、給電線中で吸収される吸収電流が15Aを越えないで、350W〜600Wの電力出力を連続供給する直巻励振型単相電動機であり、プラットホーム作動手段が電圧整流器を介して110V ａ.c．の単相給電線に接続され、ホイールリムにタイヤを装着したり、ホイールリムからタイヤを取り外すために必要な電力を供給するのに適した（被整流）直流電圧d.c.に、110V a.c.供給交流電圧を整流し、回転子のブラシを損傷させないために、電流吸収を予定の値に制限する手段を設けたことを特徴とするタイヤ取外し機。
【請求項２】
単相電動機が電圧整流器を介することなく単相220V ａ.c. 給電線に接続されている請求項１記載のタイヤ取外し機。
【請求項３】
電流吸収を制限する手段が、電流計、整流器、比較器、メモリー回路及び機械の作動ペダルを解放することに応じて閉成されるリレー用開放回路を備えている請求項１または２に記載のタイヤ取外し機。
【発明の詳細な説明】
【０００１】
【発明の属する技術分野】
本発明は、ホイールリムにタイヤを装着したりホイールリムからタイヤを取外す機械に関するものであり、一層特にそれらの動作用手段に関する。
【０００２】
【従来の技術】
ホイールリムにタイヤを装着したりホイールリムからタイヤを取外す 公知の機械は、外側シートメタルケーシングを有し、このケーシングの頂部に、ホイールリムをロックする自動心出し手段を備えた回転プラットホームが配置されている。
回転プラットホームの側部には垂直構造体がのび、この垂直構造体は要求された位置に水平アームを支持しかつロックし、回転プラットホーム上に位置する垂直構造体の端部は垂直アームの摺動座を支持する。垂直アームの下方端部には、タイヤの縁部に作用してタイヤの縁部をホイールリムの縁部の下側に強制しまたはホイールリムの縁部から取り出す工具が接続されている。
回転プラットホームは、接続軸を介してケーシング内に配置した電動機によって駆動され、接続軸と電動機との間に減速機が挿置されている。
【０００３】
三相交流配電網を介して工業用電気の供給される区域においては、機械を駆動するのに使用した電動機は三相誘導または単相誘導型のものであることができる。
しかしながら、単相配電網を介して電気の供給される区域においては、単相誘導電動機が使用される。
電気の供給電圧は国によって異なり、例えばイタリア国では三相交流給電電圧は380Ｖであり、また単相電圧は220Ｖである。一方、米国では給電は単相交流電圧110Ｖである。
【０００４】
このことは、この型の機械の製造業者にとっては製品の販売されることに成る区域における給電網の電圧及び形式に応じて生産を多様化する必要がある。
これは、タイヤ取外し機では回転プラットホームを、工具の使用時にプラットホームの回転する低回転数で実質的な値をもつトルクで作動させる必要があるため、一層困難にさせている。
これに関して、三相または単相誘導電動機の特性トルク曲線は非常に狭い範囲内で回転数の変化と共に実質的にトルクの変化することが知られている。
【０００５】
【発明が解決しようとする課題】
従って、電力配電網の電気の電圧の及び形式に関係なく、このトルク要求を満足するように作動する、ホイールリムにタイヤを装着したりホイールリムからタイヤを取外す機械が要望されている。
本発明の目的は、特許請求の範囲に定義した特徴によって上記の欠点を解消する、ホイールリムにタイヤを装着したりホイールリムからタイヤを取外す機械を提供することにある。
【０００６】
【課題を解決するための手段】
ホイールを支持する回転プラットホームと、タイヤビードに作用する手段と、プラットホーム作動手段とを有するタイヤ取外し機において、プラットホーム作動手段が、15Aを越えない吸収電流で350W〜600Wの電力を供給され、電圧整流器を介して110V ａ.c．の単相給電線に接続された直巻励振型単相電動機であり、電流吸収を予定の値に制限する手段を設けたことを特徴としている。
【０００７】
【発明の実施の形態】
本発明の動作上及び構造上の特徴は、添付図面を参照して本発明を限定しない例として本発明の好ましい実施例の以下の説明から一層明らかとなろう。
図面にはケーシング１を示し、ケーシング１の頂部２から軸３がのび、この軸３は円形プラットホーム４を回転可能に支持している。
円形プラットホーム４には図示してないが四つの通常の半径方向スロットが設けられ、これらのスロット内を摺動体５が上向きに動き、これらの摺動体５ はジョー６を備え、これらのジョー６はホイールリム７を作業位置にロックする。摺動体５は図１に示すように円形プラットホーム４の下方部分内に支持された通常の流体力装置８によって駆動される。
円形プラットホーム４の側部には柱部材９が上方向にのび、柱部材９の上方端部には水平案内部材10が接続され、 この水平案内部材10内をロッド11が動く。
ロッド11の端部に垂直軸線の案内部材12が支持され、この案内部材12はロッド13を受け、かつロックでき、ロッド13の下方端部には、タイヤの縁部に作用する工具14が接続されている。
円形プラットホーム４はその軸線のまわりを電動機15によって回転され、電動機の軸の回転速度を減速させる手段が挿置されている。
特に、これらの手段は減速装置16及び一対のプーリー17、18から成り、これらのプーリー17、18の間にベルト19がのびている。
【０００８】
図２に概略的に示す電動機15は10A〜15Aの吸収電流で350W〜600Wの電力を供給される直巻励振型単相式のものである。
図２に示すように、固定子23は固定子巻線24を備え、回転子25にはブラシ26が設けられ、また端子ブロック27には固定子及び回転子回路の端子240、241、260、261がそれぞれ接続されている。
タコメータ型の速度指示器からの導線280、281及び電動機熱保護装置からの導線290、291は端子ブロック27に接続される。
直巻励振型電動機の特性トルク・回転数曲線は図4に示される。図4に示すように、抵抗トルクが増大するにつれて、電動機回転数が減少し、発生トルクは増大する。従って、この形式の電動機は負荷の変化するつれてタイヤ取外し機に適した特性を相当に変化させる回転数をもち、抵抗トルクが高い時には低速度が要求され、抵抗トルクが低い時には高速度が要求される。
【０００９】
電動機15の電力端子と主給電線との間には、電動機を制御し保護する電子カード20及びタイヤ取外し機の始動・停止ぺタル22で作動する反転スイッチ21が接続される。
電動機15は、220V交流電圧が利用できる区域ではこの電圧で給電され、または110V交流で給電される。
110Vで給電される場合には、電子カード20は、110V交流を約150V直流(被整流)に整流する整流器段を有し、ホイールリムにタイヤを装着したりホイールリムからタイヤを取外すのに必要な電力を供給する。
【００１０】
約150Vの直流電圧を電動機に給電する電子カード20は、図３のブロック線図に示される。
図３に示すように、最初の段200は主交流給電に存在する悪影響を及ぼす調波を取除く構成要素及び電子カード20への入力における保護装置から成っている。
段200の下流には電動機15で吸収される電流を測定しそして例えば通常の電流計・変圧器から成る段201が設けられ、電流計・変圧器は電動機の給電線を流れる電流を測定し、選られた信号をブロック202で示す測定・制御回路に供給する。ブロック202で示す測定・制御回路の電気回路は通常の形式のものであるので図示してないが、図３に203で示す電力装置によって給電される。
【００１１】
詳細には、ブロック202は、電流計・変圧器からの交流信号を整流する整流器及びフィルタから成る入力段、整流した電流信号を基準電流値一般には所望のトルクを越えないように電動機に流すことのできかつブロック204で設定された最大電流と比較する比較器、上記電流信号の測定値を記憶できる記憶回路、及びブロック205で表わされたリレーを開閉する回路を有している。
ブロック205の下流には206で示すつうじょうの形式の整流器が設けられ、電動機15で必要な交流電流を整流する。
電動機15とブロック205との間には、電動機フィルタから成るブロック207及び通常のスイッチとして機能しかつ電動機の回転子の回転方向を端子ブロック27の接点に作用することで反転できる反転スイッチから成るブロック208が設けられている。
【００１２】
タイヤ取外し機の動作中に、線で吸収される電流すなわち吸収電流は電動機15の軸に加わる抵抗トルクに比例し、このトルク自体は、ホイールリムの縁部とタイヤの縁部との間に工具14を働かしたときに工具14加わる力に依存している。
ホイールリムにタイヤを装着したりホイールリムからタイヤを取外す際に工具の前進が困難になると、図４の曲線に従って抵抗トルクは電動機の回転数の相応した減少と共に増大する。工具が反抗点に達すると、抵抗トルクは減少し、そして電動機の回転数は増大する。
ホイールリムにタイヤを装着したりホイールリムからタイヤを取外す際に、吸収電流は、回転子25のブラシ26を損傷させないようにするために、電動機15の製造業者が設定した値より常に低くなければならない。図示例ではこの設定値は15Aであり、動作限界を決めるためブロック204で予め設定される。
タイヤ取外し機の動作中に、吸収電流がブロック204で予め設定された電流値を越えると、リレー205の制御回路はリレー205を開放し、電動機15への給電を停止する。
給電は、タイヤ取外し機の始動ペタル22を作業者が解放した後のみに回復され、記憶回路に記憶されたロック状態は解かれ、リレー205の制御回路はリレー205を再び閉成する。
上記のタイヤ取外し機は、電子カード20を、図示したものと同様であるが整流器段206をもたない電子カードに置き換えることによって220Vの交流で給電することもできる。
【図面の簡単な説明】
【図１】本発明の機械の断面図である。
【図２】本発明の機械用の駆動電動機の概略図である。
【図３】本発明の機械用の制御及び保護回路のブロック線図である。
【図４】本発明で使用した電動機の特性トルク・回転数曲線である。
【符号の説明】
１：ケーシング
２：頂部
３：軸
４：円形プラットホーム
５：摺動体
６：ジョー
７：ホイールリム
８：流体力装置
９：柱部材
10：水平案内部材
11：ロッド
12：案内部材
13：ロッド
14：工具
15：電動機
16：減速装置
17：プーリー
18：プーリー
19：ベルト
20：電子カード
22：
23：固定子
24：固定子巻線
25：回転子
26：ブラシ
27：端子ブロック
200：最初の段
201：電流測定段
202：ブロック
203：給電装置
204：ブロック
205：ブロック
206：整流器
207：ブロック
208：ブロック
【図１】
0003749796.tif 000002
【図２】
0003749796.tif 000003
【図３】
0003749796.tif 000004
【図４】
0003749796.tif 000005